(57)【要約】【課題】検出対象を換えられ、用途に応じた自動運転機能を得ることができ、使い勝手が向上した換気装置を提供することを目的とする。【解決手段】室内の空気を屋外へ排出可能な送風手段１を設け、送風手段１の運転の制御をする制御手段２を設け、室内の空質環境、または人の存在といった検出対象うち少なくとも１つを検出する検出手段３を設け、検出対象の異なる別の検出手段に交換できるように切換え手段４を設け、検出対象を特定する検出対象判定手段６を設け、検出対象判定手段６があらかじめ特定した検出対象と検出手段３からのセンサ信号を基に送風手段１の運転の制御をするように構成する。【選択図】図１
2009192136.tif 000002
【特許請求の範囲】
【請求項１】
室内の空気を排出する送風手段と、前記送風手段を制御する制御手段と、室内の空質環境または人の存在の検出対象のうち少なくとも１つを検出し信号を出力する検出手段と、前記検出手段を検出対象の異なる別の検出手段に交換可能とする切換え手段と、前記検出対象をあらかじめ特定する検出対象判定手段とを備え、前記制御手段は、あらかじめ特定された前記検出対象と前記検出手段からの信号を基に前記送風手段の運転または停止の制御をすることを特徴とした換気装置。
【請求項２】
検出対象判定手段は、換気装置への通電開始から所定時間以内に前記検出手段が出力する信号を基に検出対象を特定することを特徴とする請求項１記載の換気装置。
【請求項３】
検出対象判定手段は、検出手段が出力する信号の値が規定値を超えて変化したときに、検出対象は人であると特定することを特徴とした請求項２記載の換気装置。
【請求項４】
検出対象判定手段は、検出手段が出力する信号の値が規定値以内でゆっくりと増加し、一定時間経過すると減少するときは、検出対象はガス濃度であると特定することを特徴とした請求項２記載の換気装置。
【請求項５】
検出対象判定手段は、検出手段が出力する信号の値が変化しないときに、検出対象は温度であると特定することを特徴とした請求項２記載の換気装置。
【請求項６】
検出対象を特定する出力を検出手段へ出力するように検出対象判定手段を構成し、前記検出対象判定手段は、前記出力を出力していないときに前記検出手段が出力する信号の値と前記出力を出力したときに前記検出手段が出力する信号の値が異なるときは、検出対象は湿度であると特定することを特徴とした請求項２記載の換気装置。
【請求項７】
検出対象判定手段が検出対象を特定しているときには、検出対象の特定中であることを表示する第１の表示手段を備えたことを特徴とした請求項２記載の換気装置。
【請求項８】
検出手段に検出対象をあらかじめ設定する設定手段を備え、検出対象判定手段は、前記設定手段の設定を基に検出対象を特定することを特徴とする請求項１記載の換気装置。
【請求項９】
設定手段は、検出手段が検出する検出対象ごとにあらかじめ決められた電圧が出力されるように構成し、前記電圧が検出対象判定手段に入力されることにより前記検出対象判定手段は、検出対象を特定することを特徴とした請求項８記載の換気装置。
【請求項１０】
設定手段は記憶装置より構成され、前記記憶装置に検出手段が検出する検出対象ごとの設定をあらかじめ記憶させ、検出対象判定手段は前記記憶装置より記憶されている設定を読み出して検出対象を特定することを特徴とした請求項８記載の換気装置。
【請求項１１】
検出対象判定手段が特定した検出対象を表示する第２の表示手段を備えたことを特徴とした請求項１記載の換気装置。
【請求項１２】
検出対象判定手段は、検出対象が特定できないときには、異常を表示する第３の表示手段を備えたことを特徴とした請求項１記載の換気装置。
【発明の詳細な説明】
【技術分野】
【０００１】
本発明は、室内の空質環境または人の存在の検出対象のうち少なくとも１つを検出し、この検出対象の状態に応じて自動的に送風機を制御して、室内の空気を排出する換気装置に関する。
【背景技術】
【０００２】
従来この種の換気装置は、検出対象が固定されており、例えば人体の動きを検出して活動量を判定して換気装置の運転を制御していた（例えば、特許文献１参照）。
【０００３】
また、例えば室内の温度を検出し、あらかじめ設定した基準温度と、検知した温度を比較して換気装置の運転を制御していた（例えば、特許文献２参照）。
【特許文献１】特許第３５４９１６６号公報
【特許文献２】特開平１０−１９３２６号公報
【発明の開示】
【発明が解決しようとする課題】
【０００４】
このような従来の換気装置では、検出対象が固定されているので別の検出対象に切換えることができず、使い勝手が悪いという課題があった。
【０００５】
本発明は、このような従来の課題を解決するものであり、検出対象を換えられて、使い勝手を向上した換気装置を提供することを目的とする。
【課題を解決するための手段】
【０００６】
本発明の換気装置は、上記目的を達成するために、室内の空気を排出する送風手段と、前記送風手段を制御する制御手段と、室内の空質環境または人の存在の検出対象のうち少なくとも１つを検出し信号を出力する検出手段と、前記検出手段を検出対象の異なる別の検出手段に交換可能とする切換え手段と、前記検出対象をあらかじめ特定する検出対象判定手段とを備え、前記制御手段は、あらかじめ特定された前記検出対象と前記検出手段からの信号を基に前記送風手段の運転または停止の制御をすることを特徴としたものである。
【０００７】
また、他の手段は、検出対象判定手段は、換気装置への通電開始から所定時間以内に前記検出手段が出力する信号を基に検出対象を特定することを特徴としたものである。
【０００８】
また、他の手段は、検出対象判定手段は、検出手段が出力する信号の値が規定値を超えて変化したときに、検出対象は人であると特定することを特徴としたものである。
【０００９】
また、他の手段は、検出対象判定手段は、検出手段が出力する信号の値が規定値以内でゆっくりと増加し、一定時間経過すると減少するときは、検出対象はガス濃度であると特定することを特徴としたものである。
【００１０】
また、他の手段は、検出対象判定手段は、検出手段が出力する信号の値が変化しないときに、検出対象は温度であると特定することを特徴としたものである。
【００１１】
また、他の手段は、検出対象を特定する出力を検出手段へ出力するように検出対象判定手段を構成し、前記検出対象判定手段は、前記出力を出力していないときに前記検出手段が出力する信号の値と前記出力を出力したときに前記検出手段が出力する信号の値が異なるときは、検出対象は湿度であると特定することを特徴としたものである。
【００１２】
また、他の手段は、検出対象判定手段が検出対象を特定しているときには、検出対象の特定中であることを表示する第１の表示手段を備えたことを特徴としたものである。
【００１３】
また、他の手段は、検出手段に検出対象をあらかじめ設定する設定手段を備え、検出対象判定手段は、前記設定手段の設定を基に検出対象を特定することを特徴とするものである。
【００１４】
また、他の手段は、設定手段は、検出手段が検出する検出対象ごとにあらかじめ決められた電圧が出力されるように構成し、前記電圧が検出対象判定手段に入力されることにより前記検出対象判定手段は、検出対象を特定することを特徴としたものである。
【００１５】
また、他の手段は、設定手段は記憶装置より構成され、前記記憶装置に検出手段が検出する検出対象ごとの設定をあらかじめ記憶させ、検出対象判定手段は前記記憶装置より記憶されている設定を読み出して検出対象を特定することを特徴としたものである。
【００１６】
また、他の手段は、検出対象判定手段が特定した検出対象を表示する第２の表示手段を備えたことを特徴としたものである。
【００１７】
また、他の手段は、検出対象判定手段は、検出対象が特定できないときには、異常を表示する第３の表示手段を備えたことを特徴としたものである。
【発明の効果】
【００１８】
本発明によれば、室内の空気を排出する送風手段と、前記送風手段を制御する制御手段と、室内の空質環境または人の存在の検出対象のうち少なくとも１つを検出し信号を出力する検出手段と、前記検出手段を検出対象の異なる別の検出手段に交換可能とする切換え手段と、前記検出対象をあらかじめ特定する検出対象判定手段とを備え、前記制御手段は、あらかじめ特定された前記検出対象と前記検出手段からの信号を基に前記送風手段の運転または停止の制御をすることにより、用途に応じて検出対象を取り換えられ、所望の自動運転機能を得ることができ、使い勝手が向上した換気装置を提供することができる。
【００１９】
また、検出対象判定手段が検出対象を特定しているときには、検出対象の特定中であることを表示する第１の表示手段を備えたことにより、検出対象を特定中であることを容易に認識することができると共に、使用者に注意喚起を促すこともでき使い勝手が向上した換気装置を提供することができる。
【００２０】
また、検出対象判定手段が特定した検出対象を表示する第２の表示手段を備えたことにより、検出対象が正しく特定されたことを容易に確認することのできる換気装置を提供することができる。
【００２１】
また、検出対象判定手段は、検出対象が特定できないときには、異常を表示する第３の表示手段を備えたことにより、検出手段の故障または検出手段と検出対象判定手段との接続不良などの異常が発生していることを容易に認識することができ、使い勝手が向上した換気装置を提供することができる。
【発明を実施するための最良の形態】
【００２２】
請求項１記載の換気装置の発明は、室内の空気を排出する送風手段と、前記送風手段を制御する制御手段と、室内の空質環境または人の存在の検出対象のうち少なくとも１つを検出し信号を出力する検出手段と、前記検出手段を検出対象の異なる別の検出手段に交換可能とする切換え手段と、前記検出対象をあらかじめ特定する検出対象判定手段とを備え、前記制御手段は、あらかじめ特定された前記検出対象と前記検出手段からの信号を基に前記送風手段の運転または停止の制御をすることを特徴としたものであり、検出対象を取り換えることができ、取り換えた検出対象に応じて運転または停止することができる。
【００２３】
請求項２記載の換気装置の発明は、請求項１記載の換気装置において、検出対象判定手段は、換気装置への通電開始から所定時間以内に前記検出手段が出力する信号を基に検出対象を特定することを特徴としたものであり、検出対象ごとに異なる出力信号の初期特性から検出対象を特定することができる。
【００２４】
請求項３記載の換気装置の発明は、請求項２記載の換気装置において、検出対象判定手段は、検出手段が出力する信号の値が規定値を超えて変化したときに、検出対象は人であると特定することを特徴としたものであり、人の存在を検出して送風手段を運転または停止することができる。
【００２５】
請求項４記載の換気装置の発明は、請求項２記載の換気装置において、検出対象判定手段は、検出手段が出力する信号の値が規定値以内でゆっくりと増加し、一定時間経過すると減少するときは、検出対象はガス濃度であると特定することを特徴としたものであり、ガス濃度を検出して送風手段を運転または停止することができる。
【００２６】
請求項５記載の換気装置の発明は、請求項２記載の換気装置において、検出対象判定手段は、検出手段が出力する信号の値が変化しないときに、検出対象は温度であると特定することを特徴としたものであり、温度を検出して送風手段を運転または停止することができる。
【００２７】
請求項６記載の換気装置の発明は、請求項２記載の換気装置において、検出対象を特定する出力を検出手段へ出力するように検出対象判定手段を構成し、前記検出対象判定手段は、前記出力を出力していないときに前記検出手段が出力する信号の値と前記出力を出力したときに前記検出手段が出力する信号の値が異なるときは、検出対象は湿度であると特定することを特徴としたものであり、湿度を検出して送風手段を運転または停止することができる。
【００２８】
請求項７記載の換気装置の発明は、請求項２記載の換気装置において、検出対象判定手段が検出対象を特定しているときには、検出対象の特定中であることを表示する第１の表示手段を備えたことを特徴としたものであり、検出対象を特定中であることを容易に認識することができる。
【００２９】
請求項８記載の換気装置の発明は、請求項１記載の換気装置において、検出手段に検出対象をあらかじめ設定する設定手段を備え、検出対象判定手段は、前記設定手段の設定を基に検出対象を特定することを特徴としたものであり、検出対象ごとに設定内容や設定値などをあらかじめ決めておくことで、検出対象を特定することができる。
【００３０】
請求項９記載の換気装置の発明は、請求項８記載の換気装置において、設定手段は、検出手段が検出する検出対象ごとにあらかじめ決められた電圧が出力されるように構成し、前記電圧が検出対象判定手段に入力されることにより前記検出対象判定手段は、検出対象を特定することを特徴としたものであり、検出対象ごとに電圧値をあらかじめ決めておくことで、検出対象を特定することができる。
【００３１】
請求項１０記載の換気装置の発明は、請求項８記載の換気装置において、設定手段は記憶装置より構成され、前記記憶装置に検出手段が検出する検出対象ごとの設定をあらかじめ記憶させ、検出対象判定手段は前記記憶装置より記憶されている設定を読み出して検出対象を特定することを特徴としたものであり、検出対象ごとに設定内容をあらかじめ決めておくことで、検出対象を特定することができる。
【００３２】
請求項１１記載の換気装置の発明は、請求項１記載の換気装置において、検出対象判定手段が特定した検出対象を表示する第２の表示手段を備えたことを特徴としたものであり、特定した検出対象を容易に確認することができる。
【００３３】
請求項１２記載の換気装置の発明は、請求項１記載の換気装置において、検出対象判定手段は、検出対象が特定できないときには、異常を表示する第３の表示手段を備えたことを特徴としたものであり、検出手段の故障または前記検出対象判定手段との接続不良などの異常を検知でき、かつ表示することで容易に認識することができる。
【００３４】
以下、本発明の実施形態について図１〜図１９を参照しながら説明する。
【００３５】
（実施の形態１）
図１に示すように、室内の壁面または天井面に配設され、室内の空気を屋外へ排出可能な例えば送風機などの送風手段１を設け、送風手段１の運転または停止の制御をする制御手段２を設け、室内の例えば温度や湿度、空気の汚れといった空質環境、または人の存在といった検出対象うち少なくとも１つを検出し信号を出力する検出手段３を設け、検出手段３は、検出対象を検出するセンサやその周辺回路とを一体にして構成し、検出手段３を検出対象の異なる別の検出手段に交換できるように例えばコネクターからなる切換え手段４を設け、検出手段３と切換え手段４とを一体にしてセンサユニット５を構成し、制御手段２は、切換え手段４を介して接続する。ここでいう空気の汚れとは、煙やＣＯ２、臭い、ホルムアルデヒド、粉塵などによるものである。
【００３６】
また、センサユニット５を検出対象の異なるものに取り換えるだけでは制御手段２は検出対象に合わせた送風手段１の運転または停止の制御をできないので、切換え手段４を介して接続し、通電開始から所定時間Ｔ以内に検出手段３が出力する信号の単位時間あたり（例えば１秒ごと）の変化を監視して検出対象を特定する検出対象判定手段６を設ける。所定時間Ｔとしては、検出対象ごとに異なる出力信号の初期特性の違いの判断が可能な時間として例えば４０秒とする。
【００３７】
図２よび図３に示すように、検出手段３ａは、例えば人の存在を検出対象とする場合には、人体の発する熱線を検出する赤外線センサ７と、赤外線センサ７が検出した熱線の信号を増幅する例えばオペアンプからなる増幅器８と、増幅器８で増幅されたセンサ信号を出力する出力端子９ａとで構成する。
【００３８】
図４に検出手段３ａから出力されるセンサ信号の変化を示す。
【００３９】
換気装置に通電されると、検出手段３ａが出力するセンサ信号は電圧Ｖ０で出力され、時間ｔ１で単位時間あたりΔＶ（例えば２．５Ｖ）を超えて変化し電圧Ｖ１で出力される。検出対象判定手段６は、センサ信号が単位時間あたりΔＶを超えて変化したことから検出対象は人であると特定する。検出対象判定手段６により検出対象が人であると特定されると、制御手段２は、送風手段１の制御方法は人を検出して制御する方法であると決定し、検出手段３ａから出力されるセンサ信号を基に例えば人の存在の有無を判断して送風手段１の運転または停止を制御する。
【００４０】
また、図５および図６に示すように、検出手段３ｂは、例えば煙やＣＯ２などのガス濃度を検出対象とする場合には、ガス濃度を検出するガスセンサ１０と、ガスセンサ１０の抵抗値Ｒｓと分圧抵抗Ｒｌで分圧されたセンサ信号を出力する出力端子９ｂとで構成する。
【００４１】
図７に検出手段３ｂから出力されるセンサ信号の変化を示す。
【００４２】
換気装置に通電されると、ガスセンサ１０の抵抗値Ｒｓは小さくなっていくため、検出手段３ｂが出力するセンサ信号は単位時間あたりΔＶ以内で緩やかに増加し、時間ｔ２で電圧Ｖ２になると変化しなくなり、時間ｔ３で更に緩やかに減少する。検出対象判定手段６は、センサ信号が単位時間あたりΔＶ以内で緩やかに増加し、時間ｔ３で更に緩やかに減少することから、検出対象はガス濃度であると特定する。検出対象判定手段６により検出対象がガス濃度であると特定されると、制御手段２は、送風手段１の制御方法はガス濃度を検出して制御する方法であると決定し、検出手段３ｂから出力されるセンサ信号の変化値を基に例えばガス濃度の相対変化を判別して空気の汚れ具合を判断して送風手段１の運転または停止を制御する。
【００４３】
また、図８および図９に示すように、検出手段３ｃは、例えば温度を検出対象とする場合には、温度を検出する温度センサ１１と、温度センサ１１の抵抗値Ｒｔと分圧抵抗Ｒ２で分圧されたセンサ信号を出力する出力端子９ｃとで構成する。
【００４４】
図１０に検出手段３ｃから出力されるセンサ信号の変化を示す。
【００４５】
室内の温度によって温度センサ１１の抵抗値Ｒｔは決まるため、換気装置に通電されると、検出手段３ｃが出力するセンサ信号は温度センサ１１の抵抗値Ｒｔと分圧抵抗Ｒ２で分圧された電圧Ｖ３で出力され変化しない。検出対象判定手段６は、センサ信号が通電開始から時間Ｔまで変化しないことから、検出対象は温度であると特定する。検出対象判定手段６により検出対象が温度であると特定されると、制御手段２は、送風手段１の制御方法は温度を検出して制御する方法であると決定し、検出手段３ｃから出力されるセンサ信号を基に例えばあらかじめ設定された温度設定値より温度が高いか低いかを判断して送風手段１の運転または停止を制御する。
【００４６】
また、図１１および図１２に示すように、検出手段３ｄは、例えば湿度を検出対象とする場合には、湿度を検出する湿度センサ１２と、湿度センサ１２の温度特性を補償するためのサーミスタ１３と、湿度センサ１２に交番信号を印加するための駆動回路１４と駆動回路１４を駆動するパルス信号が入力される入力端子１５と、湿度センサ１２の抵抗値Ｒｈとサーミスタ１３の抵抗値Ｒｔｈで分圧されたセンサ信号を出力する出力端子９ｄとで構成する。更に、検出対象判定手段６は、駆動回路１４を駆動するパルス信号を出力するように構成し、検出対象判定手段６が出力するパルス信号は、切換え手段４を介して検出手段３ｄの入力端子１５に入力されるように構成する。パルス信号としては、湿度センサ１２が室内の湿度を検出可能な例えば５００Ｈｚの矩形波とする。
【００４７】
図１３に検出手段３ｄから出力されるセンサ信号の変化を示す。図１３（ａ）には検出手段３ｄから出力されるセンサ信号を示し、図１３（ｂ）には検出対象判定手段６が出力するパルス信号を示す。
【００４８】
換気装置に通電されると、まずは検出対象判定手段６はパルス信号を出力しないため、検出手段３ｄが出力するセンサ信号は電圧Ｖ４で出力され、そして時間Ｔ／２経過後、検出対象判定手段６がパルス信号を出力すると、駆動回路１４により湿度センサ１２に交番信号が印加され、湿度センサ１２の抵抗値Ｒｈとサーミスタ１３の抵抗値Ｒｔｈで分圧されたセンサ信号がパルス信号と同期して出力される。検出対象判定手段６は、センサ信号がパルス信号を出力するまで電圧Ｖ４であり、パルス信号を出力するとパルス信号と同期した信号となることから検出対象は湿度であると特定する。検出対象判定手段６により検出対象が湿度であると特定されると、制御手段２は、送風手段１の制御方法は湿度を検出して制御する方法であると決定し、検出手段３ｄから出力されるセンサ信号を基に例えばあらかじめ設定された湿度設定値より湿度が高いか低いかを判断して送風手段１の運転または停止を制御する。
【００４９】
なお、湿度センサ１２の温度特性を補償するためにサーミスタ１３を用いたが、固定抵抗でもよく、温度特性を考慮して制御手段２は送風手段１を制御するようにして構成してもその作用効果に変わりはない。
【００５０】
上記構成において、センサユニット５ごと検出手段３を換え、換気装置の自動運転機能を例えば人を検出して自動運転する機能から温度を検出して自動運転する機能に取り換えた場合、検出対象判定手段６は、検出手段３が出力する信号の初期特性の違いから検出対象を温度であると特定し、制御手段２は、検出された室内の温度に合わせて送風手段１の運転または停止の制御を行う。
【００５１】
このように本発明では、検出手段３を取り換えることで用途に応じて検出対象を換えることができるので、容易に所望する自動運転機能を得ることができ、使い勝手が向上することとなる。
【００５２】
また、図１４に示すように、検出対象判定手段６が検出対象の特定をしていることを表示する第１の表示手段１６を設ける。第１の表示手段１６は検出対象判定手段６が検出対象の特定をしていることを表示できればよく、例えば発光ダイオード（以下、ＬＥＤ）などがある。その他の構成は同様であるため説明を省略する。
【００５３】
上記構成において、通電から検出対象判定手段６が検出対象を特定するまでＬＥＤを例えば１秒点灯、１秒消灯の周期で点滅して検出対象を特定中であることを表示する。
【００５４】
このように本発明では、点滅して検出対象を特定中であることを表示するので、検出対象を特定中であることを容易に認識することができると共に、使用者に注意喚起を促すこともでき使い勝手が向上することとなる。
【００５５】
（実施の形態２）
図１５に示すように、検出手段３ｅに検出対象を設定する設定手段１７を設け、検出対象判定手段６は、設定手段１７の設定を基に検出対象を特定する。ここで、設定手段１７としては、抵抗で分圧された電圧の出力もしくは例えばＥＥＰＲＯＭからなる記憶装置などで構成されることが考えられ、以下それぞれの場合について説明する。
【００５６】
抵抗で分圧された電圧を出力する構成では、検出対象ごとにあらかじめ設定電圧値を決めておく。検出手段３ｅの検出対象を設定手段１７で設定すると、設定した電圧値が検出対象判定手段６に入力され、検出対象判定手段６は、検出対象ごとにあらかじめ決められた設定電圧値に従って検出対象を特定する。
【００５７】
ＥＥＰＲＯＭからなる記憶装置で構成する場合は、検出対象ごとにあらかじめ設定値を決めておく。検出手段３ｅの検出対象の設定値をあらかじめＥＥＰＲＯＭに記憶させておき、検出対象判定手段６は、ＥＥＰＲＯＭに記憶されている設定値を読み出し、検出対象ごとにあらかじめ決められた設定値に従って検出対象を特定する。その他の構成については実施の形態１と同様であるため説明を省略する。
【００５８】
上記構成において、検出対象ごとに設定電圧値や設定値あらかじめ決めておくことで、検出手段３ｅを換え、換気装置の自動運転機能を切換えた場合、検出対象判定手段６は、設定手段１７で設定された設定電圧または設定値から検出対象を特定でき、制御手段２は、検出された室内の温度や湿度、空気の汚れといった空質環境、または人の存在に合わせて送風手段１の運転または停止の制御を行う。
【００５９】
このように本発明では、検出手段３を取り換えることで用途に応じて検出対象を換えることができ、かつより確実に換気装置の自動運転機能を特定することができ、所望する自動運転機能を得ることができる。
【００６０】
（実施の形態３）
図１６に示すように、検出対象判定手段６が特定した検出対象を表示する第２の表示手段１８を設ける。第２の表示手段１８は検出対象判定手段６が特定した検出対象を表示できればよく、例えば液晶ディスプレイなどがある。その他の構成は実施の形態１と同様であるため説明を省略する。
【００６１】
上記構成において、検出対象判定手段６が特定した検出対象を第２の表示手段１８で表示する方法について図１７を用いて説明する。
【００６２】
検出対象判定手段６が検出対象は人であると特定すると、図１７（ａ）のように第２の表示手段１８は、換気装置は人を検出して自動で運転することを「自動運転機能人」と表示する。
【００６３】
また、検出対象判定手段６が検出対象はガス濃度であると特定すると、同図（ｂ）のように第２の表示手段１８は、換気装置はガス濃度を検出して自動で運転することを「自動運転機能汚れ」と表示する。
【００６４】
また、検出対象判定手段６が検出対象は温度であると特定すると、同図（ｃ）のように第２の表示手段１８は、換気装置は温度を検出して自動で運転することを「自動運転機能温度」と表示する。
【００６５】
また、検出対象判定手段６が検出対象は湿度であると特定すると、同図（ｄ）のように第２の表示手段１８は、換気装置は湿度を検出して自動で運転することを「自動運転機能湿度」と表示する。
【００６６】
このように本発明では、第２の表示手段１８で換気装置の自動運転機能を表示するので、容易に自動運転の機能を認知することができると共に、検出対象が正しく特定されたことを確認することができる。
【００６７】
（実施の形態４）
図１８に示すように、検出対象判定手段６が検出対象を特定できないと判断したときに、検出手段３の故障または検出対象判定手段６との接続不良などの異常が発生していることを表示する第３の表示手段１９を設ける。第３の表示手段１９は、異常が発生していることを表示できれば良く、例えば発光ダイオード（以下、異常ＬＥＤ）などがある。その他の構成は実施の形態１および実施の形態２と同様であるため説明を省略する。
【００６８】
上記構成において、まず、検出対象判定手段６が検出対象の特定が可能か否かを判断する動作について図１９のフローチャートを用いて説明する。
【００６９】
電源が通電されると共に検出対象判定手段６は検出手段３が出力する信号の監視を開始し、ステップ１（以下、ステップをＳと略記）でセンサ信号の変化の有無を判断し、センサ信号の変化があればＳ２へ移行し、Ｓ２で検出対象の特定が可能であるとして終了する。
【００７０】
センサ信号の変化がなければＳ３へ移行し、Ｓ３で通電開始から時間Ｔ／２が経過したかを判断し、経過していなければＳ１へ戻る。
【００７１】
経過していればＳ４へ移行し、Ｓ４でパルス信号を出力し、Ｓ５でセンサ信号の変化の有無を判断し、出力信号の変化があればＳ２へ移行する。
【００７２】
センサ信号の変化がなければＳ６へ移行し、Ｓ６で通電開始から時間Ｔが経過したかを判断し、経過していなければＳ４へ戻る。
【００７３】
経過していればＳ７へ移行し、Ｓ７で設定手段１７の設定を確認し、Ｓ８であらかじめ決められた値と照合し、Ｓ７で確認した設定と一致すればＳ２へ移行する。
【００７４】
一致しなければ、異常値であるとしてＳ９へ移行し、Ｓ９で検出対象の特定が不可能であるとして終了する。
【００７５】
第３の表示手段１９は、上記のようにして検出対象判定手段６が検出対象の特定が可能か否かを判断した結果に基づき、検出対象の特定が可能なときは異常ＬＥＤを消灯し、検出対象の特定が不可能なときは異常ＬＥＤを点灯して表示する。
【００７６】
このように本発明では、検出手段３の故障または検出対象判定手段６との接続不良などの異常を検知でき、また第３の表示手段１９で表示するので容易に異常を認識することができる。
【産業上の利用可能性】
【００７７】
本発明の換気装置は、検出手段が検出する対象を用途に応じて換えて自動運転の機能を換える換気装置について有用である。
【図面の簡単な説明】
【００７８】
【図１】本発明の実施の形態１の換気装置の構成を示すブロック図
【図２】同換気装置の検出対象が人の場合の構成を示すブロック図
【図３】同換気装置の検出対象が人の場合の検出手段の構成を示すブロック図
【図４】同換気装置の検出対象が人の場合のセンサ信号の変化を示す図
【図５】同換気装置の検出対象がガス濃度の場合の構成を示すブロック図
【図６】同換気装置の検出対象がガス濃度の場合の検出手段の回路構成を示す図
【図７】同換気装置の検出対象がガス濃度の場合のセンサ信号の変化を示す図
【図８】同換気装置の検出対象が温度の場合の構成を示すブロック図
【図９】同換気装置の検出対象が温度の場合の検出手段の回路構成を示す図
【図１０】同換気装置の検出対象が温度の場合のセンサ信号の変化を示す図
【図１１】同換気装置の検出対象が湿度の場合の構成を示すブロック図
【図１２】同換気装置の検出対象が湿度の場合の検出手段の回路構成を示す図
【図１３】同換気装置の検出対象が湿度の場合のセンサ信号の変化を示す図
【図１４】同換気装置に第１の表示手段を設けた場合の構成を示すブロック図
【図１５】本発明の実施の形態２の換気装置の構成を示すブロック図
【図１６】本発明の実施の形態３の換気装置の構成を示すブロック図
【図１７】同換気装置の検出対象を第２の表示手段で表示する方法を説明する図
【図１８】本発明の実施の形態４の換気装置の構成を示すブロック図
【図１９】同換気装置の検出対象の特定が可能か否かの判断する動作を説明するフローチャート
【符号の説明】
【００７９】
１    送風手段
２    制御手段
３    検出手段
３ａ  検出手段
３ｂ  検出手段
３ｃ  検出手段
３ｄ  検出手段
３ｅ  検出手段
４    切換え手段
６    検出対象判定手段
１６  第１の表示手段
１７  設定手段
１８  第２の表示手段
１９  第３の表示手段
【図１】
2009192136.tif 000003
【図２】
2009192136.tif 000004
【図３】
2009192136.tif 000005
【図４】
2009192136.tif 000006
【図５】
2009192136.tif 000007
【図６】
2009192136.tif 000008
【図７】
2009192136.tif 000009
【図８】
2009192136.tif 000010
【図９】
2009192136.tif 000011
【図１０】
2009192136.tif 000012
【図１１】
2009192136.tif 000013
【図１２】
2009192136.tif 000014
【図１３】
2009192136.tif 000015
【図１４】
2009192136.tif 000016
【図１５】
2009192136.tif 000017
【図１６】
2009192136.tif 000018
【図１７】
2009192136.tif 000019
【図１８】
2009192136.tif 000020
【図１９】
2009192136.tif 000021